(57)【要約】【課題】重量を増加させることなく強度を確保することができるドクター装置を提供する。【解決手段】ドクター装置１は、支持部材１０と、押さえ部材１１と、支点部材１２と、カム部材１３０とを備えている。カム部材１３０は、支持部材１０に形成されたカム溝部１０１内に回動可能に保持されている。支持部材１０は、カム溝部１０１と支持部１００の間に屈曲部１０ｃを有し、屈曲部１０ｃよりも後側が下側に屈曲している。そのため、支持部材１０に形成されるカム溝部１０１の深さを浅くすることができる。そのため、重量を増加させることなく、カム溝部１０１が形成された部分の強度を確保することができる。【選択図】図１
2018196944.tif 000002
【特許請求の範囲】
【請求項１】
先端部にドクターブレードを支持する支持部を有する支持部材と、
弾性を有する帯状の部材であって、前記支持部材と対向して設けられ、前記支持部材との間に前記ドクターブレードが配置され、幅方向の一端部で前記ドクターブレードを前記支持部に押しつける押さえ部材と、
前記押さえ部材の前記一端部と他端部の間であって、前記押さえ部材の反支持部材側で前記押さえ部材に当接し、前記押さえ部材の前記他端部を前記反支持部材側に変位させることで前記押さえ部材の前記一端部を支持部材側に変位させるための支点となる支点部を有する支点部材と、
前記支持部材に形成されたカム溝部内に回動可能に保持され、回動して前記押さえ部材の前記他端部を前記反支持部材側に変位させるカム部材と、
を備え、前記カム部材によって前記押さえ部材の前記他端部を前記反支持部材側に変位させることで、前記支点部を支点として前記押さえ部材の前記一端部を前記支持部材側に変位させ、前記押さえ部材の前記一端部によって前記ドクターブレードを前記支持部に押しつけて前記ドクターブレードを固定するドクター装置であって、
前記支持部材は、前記カム溝部と前記支持部の間に屈曲部を有し、前記屈曲部よりも後端部側が反押さえ部材側に屈曲しているドクター装置。
【請求項２】
前記支持部材は、前記カム溝部の前記後端部側に隣接して設けられる、押さえ部材側に突出する壁部を有する請求項１に記載のドクター装置。
【発明の詳細な説明】
【技術分野】
【０００１】
本発明は、ドクターブレードを固定するするドクター装置に関する。
【背景技術】
【０００２】
従来、ドクターブレードを固定するドクター装置として、例えば以下に示す特許文献１に開示されているドクターホルダーがある。ここで、ドクターブレードは、グラビア印刷等に用いる版胴の版面に着いた余分なインキをかき取るための薄い板状の部材である。
【０００３】
このドクターホルダーは、ドクターホルダー本体と、押さえ板と、支持部材と、固定部材とを備えている。
【０００４】
ドクターホルダー本体は、ドクターブレードを支持する部材であって、先端部側に、ドクターブレードを支持するための平坦面を有している。押さえ板は、弾性を有する帯状の部材であって、幅方向の一端部でドクターブレードをドクターホルダー本体に押しつける部材である。押さえ板は、ドクターホルダー本体と対向して設けられている。支持部材は、押さえ板の一端部と他端部の間であって、押さえ板の反ドクターホルダー本体側（つまり上側）に、押さえ板に当接し、押さえ板の他端部を反ドクターホルダー本体側に変位させることで、押さえ板の一端部をドクターホルダー本体側に変位させるための支点となる部材である。支持部材は、ボルトによって、ドクターホルダー本体に固定されている。固定部材は、回動して押さえ板の他端部を反ドクターホルダー本体側（つまり上側）に変位させる部材である。具体的には、外周に、平坦面と、円弧面とを有する棒状の部材である。固定部材は、ドクターホルダー本体の上面に形成された溝部に回動可能に保持されている。
【０００５】
ドクターブレードは、ドクターホルダー本体の平坦面と押さえ板の一端部の間に基端部を挿入し、先端部を前側に突出させた状態で配置される。固定部材によって押さえ板の他端部を上側に変位させると、支持部材を支点として押さえ板の一端部がドクターホルダー本体側に変位する。その結果、ドクターブレードは、押さえ板の一端部によってドクターホルダー本体の平坦面に押しつけられ固定される。つまり、ドクターホルダー本体と押さえ板によって挟持され固定される。
【先行技術文献】
【特許文献】
【０００６】
【特許文献１】特開平１０−２７２７５７号公報
【発明の概要】
【発明が解決しようとする課題】
【０００７】
ところで、ドクターブレードによって版胴の版面に着いた余分なインキをかき取る際、ドクターホルダー本体に大きな力が加わる。そのため、ドクターホルダー本体には、充分な強度が要求される。
【０００８】
前述したように、ドクターホルダー本体には、固定部材を回動可能に保持するために溝部が形成されている。溝部の形成された部分の強度が低下しないように、その部分の厚さを厚くしなければならない。しかし、ドクターホルダー本体の厚さを厚くすると、ドクター装置が重くなってしまう。その結果、ドクター装置の交換等の際の作業性が悪くなってしまう。
【０００９】
本発明はこのような事情に鑑みてなされたものであり、重量を増加させることなく強度を確保することができるドクター装置を提供することを目的とする。
【課題を解決するための手段】
【００１０】
上記課題を達成するためになされたドクター装置は、先端部にドクターブレードを支持する支持部を有する支持部材と、弾性を有する帯状の部材であって、支持部材と対向して設けられ、支持部材との間にドクターブレードが配置され、幅方向の一端部でドクターブレードを支持部に押しつける押さえ部材と、押さえ部材の一端部と他端部の間であって、押さえ部材の反支持部材側で押さえ部材に当接し、押さえ部材の他端部を反支持部材側に変位させることで押さえ部材の一端部を支持部材側に変位させるための支点となる支点部を有する支点部材と、支持部材に形成されたカム溝部内に回動可能に保持され、回動して押さえ部材の他端部を反支持部材側に変位させるカム部材と、を備え、カム部材によって押さえ部材の他端部を反支持部材側に変位させることで、支点部を支点として押さえ部材の一端部を支持部材側に変位させ、押さえ部材の一端部によってドクターブレードを支持部に押しつけてドクターブレードを固定するドクター装置であって、支持部材は、カム溝部と支持部の間に屈曲部を有し、屈曲部よりも後端部側が反押さえ部材側に屈曲している。
【００１１】
この構成によれば、支持部材に形成されるカム溝部の深さを浅くすることができる。そのため、重量を増加させることなく、カム溝部が形成された部分の強度を確保することができる。
【００１２】
ドクター装置の支持部材は、カム溝部の後端部側に隣接して設けられる、押さえ部材側に突出する壁部を有することが好ましい。
【００１３】
この構成によれば、カム部材の脱落を抑え、カム部材をカム溝部内で確実に回動させることができる。
【図面の簡単な説明】
【００１４】
【図１】第１実施形態におけるドクター装置の側面図である。
【図２】図１におけるドクターブレードの上面図である。
【図３】図１における支持部材の上面図である。
【図４】図１における押さえ部材の上面図である。
【図５】図１における支点部材の側面図である。
【図６】図１におけるカム部材の上面図である。
【図７】図６におけるＶＩＩ−ＶＩＩ矢視断面図である。
【図８】図１におけるレバー部材の上面図である。
【図９】ドクターブレード固定前の第１実施形態におけるドクター装置の側面図である。
【図１０】押さえ部材と支持部材の間にドクターブレードが挿入された第１実施形態におけるドクター装置の側面図である。
【図１１】印刷機に固定された第１実施形態におけるドクター装置の側面図である。
【図１２】支持部材が屈曲部を持たない場合における、印刷機に固定されたドクター装置の側面図である。
【図１３】第２実施形態におけるドクター装置の側面図である。
【図１４】押さえ部材と支持部材の間にドクターブレードが挿入された第２実施形態におけるドクター装置の側面図である。
【図１５】図１３及び図１４における支持部材の上面図である。
【発明を実施するための形態】
【００１５】
次に実施形態を挙げ、本発明をより詳しく説明する。
【００１６】
（第１実施形態）
まず、図１〜図８を参照して本形態のドクター装置の構成について説明する。ここで、図１は、本形態におけるドクター装置の側面図である。図２は、図１におけるドクターブレードの上面図である。図３は、図１における支持部材の上面図である。図４は、図１における押さえ部材の上面図である。図５は、図１における支点部材の側面図である。図６は、図１におけるカム部材の上面図である。図７は、図６におけるＶＩＩ−ＶＩＩ矢視断面図である。図８は、図１におけるレバー部材の上面図である。なお、図中における前後方向、左右方向及び上下方向は、方向を区別するために便宜的に記載したものである。
【００１７】
図１に示すドクター装置１は、ドクターブレードＤＢを固定する装置である。ここで、ドクターブレードＤＢは、グラビア印刷等に用いる版胴の版面に着いた余分なインキをかき取るための部材である。図１及び図２に示すように、ドクターブレードＤＢは、左右方向に長い薄い帯状の金属を板厚方向に２枚積層して構成されている。図１に示すように、ドクター装置１は、支持部材１０と、押さえ部材１１と、支点部材１２と、固定部材１３とを備えている。
【００１８】
支持部材１０は、剛性を有する、つまり弾性変形が規制された所定厚さの屈曲した長方形状の金属からなる部材であって、幅方向の一端部である前側の先端部１０ａで、ドクターブレードＤＢを支持する部材である。具体的には、図３に示すように、剛性を有する所定厚さの左右方向に長い長方形状の金属からなる部材であって、先端部１０ａで、ドクターブレードＤＢを支持する部材である。支持部材１０は、後端部１０ｂが印刷機に固定される。支持部材１０は、先端部１０ａと後端部１０ｂの間に屈曲部１０ｃを有している。図１及び図３に示すように、支持部材１０は、支持部１００と、カム溝部１０１と、ねじ孔部１０２とを備えている。
【００１９】
支持部１００は、先端部１０ａの上側に設けられたドクターブレードＤＢを支持するための部位である。支持部１００の上面には、ドクターブレードＤＢを支持するための左右方向に長い長方形状の平坦面１００ａが形成されている。平坦面１００ａの前後方向の寸法は、ドクターブレードＤＢの前後方向の寸法より小さく設定されている。ドクターブレードＤＢの前後方向の寸法の１／２程度に設定されている。平坦面１００ａの左右方向の寸法は、ドクターブレードＤＢの左右方向の寸法と同一になるように設定されている。
【００２０】
カム溝部１０１は、後述する固定部材１３のカム部材１３０を周方向に回動可能に保持するための部位である。具体的には、支持部材１０の上面に形成された、先端部１０ａと後端部１０ｂの間の所定位置を左右方向に延びる、断面が弓形状をなす溝である。カム溝部１０１の弓形状の断面の円弧部分の直径は、後述するカム部材１３０の円弧面１３０ｂの直径よりわずかに大きくなるように設定されている。
【００２１】
ねじ孔部１０２は、支点部材１２を固定するための部位である。具体的には、支持部材１０の上面に形成された、カム溝部１０１よりも前側に左右方向に間隔をあけて複数設けられる、後述する支点部材１２のねじ部１２２と螺合する孔である。
【００２２】
支持部材１０は、カム溝部１０１と支持部１００の間に屈曲部１０ｃを有している。具体的には、カム溝部１０１とねじ孔部１０２の間に屈曲部１０ｃを有している。屈曲部１０ｃの前側と後側の支持部材１０の厚さは同一である。支持部材１０は、屈曲部１０ｃよりも後端部１０ｂ側が、反押さえ部材１１側、つまり押さえ部材１１から離間する方向に屈曲している。具体的には、屈曲部１０ｃよりも後側が下側に屈曲している。より具体的には、屈曲に伴ってカム溝部１０１の深さが浅くなっても、カム溝部１０１によって、カム部材１３０を脱落することなく回動可能に保持することができる所定角度だけ、屈曲部１０ｃよりも後側が下側に屈曲している。
【００２３】
図１に示す押さえ部材１１は、弾性を有する薄い帯状の金属からなる部材であって、支持部材１０の上側に支持部材１０と対向して設けられ、幅方向の一端部１１ａでドクターブレードＤＢを支持部１００に押しつける部材である。具体的には、図４に示すように、左右方向に長い弾性を有する薄い帯状の金属からなる部材であって、前側の一端部１１ａでドクターブレードＤＢを支持部１００に押しつける部材である。押さえ部材１１の前後方向の寸法は、押さえ部材１１の一端部１１ａ側の先端を支持部材１０の先端部１０ａ側の先端に揃えた状態で、支持部材１０の上側に配置したときに、押さえ部材１１の他端部１１ｂがカム溝部１０１の上側に位置するように設定されている。押さえ部材１１の左右方向の寸法は、支持部１００の左右方向の寸法と同一になるように設定されている。押さえ部材１１は、だるま孔部１１０と、切り欠き部１１１と備えている。
【００２４】
だるま孔部１１０は、図１に示すように、後述するねじ孔部１０２に螺合した支点部材１２が挿通する孔である。図４に示すように、だるま孔部１１０は、後述する支点部材１２の頭部１２０が挿通可能な大径部１１０ａと、後述する支点部材１２の軸部１２１だけが挿通可能な前後方向に延びる小径部１１０ｂとを備えている。だるま孔部１１０は、一端部１１ａと他端部１１ｂの間であって、他端部１１ｂに近い位置に、大径部１１０ａを後側、小径部１１０ｂを前側にした状態で設けられている。支持部材１０のねじ孔部１０２と対応した位置に、左右方向に沿って複数設けられている。
【００２５】
切り欠き部１１１は、後述するように、カム部材１３０を回動させるためにレバー部材１３１を垂直に起こしたときに、レバー部材１３１との干渉を避けるために略方形状に切り欠かれた部位である。切り欠き部１１１は、押さえ部材１１の後側の他端部１１ｂに、レバー部材１３１の形状に合わせて、設けられている。
【００２６】
図１に示す支点部材１２は、金属からなる部材であり、押さえ部材１１の一端部１１ａと他端部１１ｂの間であって、押さえ部材１１の反支持部材１０側（つまり上側）で、押さえ部材１１の他端部１１ｂを反支持部材１０側に変位させることで押さえ部材１１の一端部１１ａを支持部材１０側に変位させるための支点を形成する部材である。図５に示すように、支点部材１２は、頭部１２０と、軸部１２１と、ねじ部１２２とを備えている。
【００２７】
頭部１２０は、押さえ部材１１の一端部１１ａと他端部１１ｂの間であって、押さえ部材１１の上側で押さえ部材１１に当接し、支点となる支点部を形成する円板状の部位である。頭部１２０の外径寸法は、大径部１１０ａを挿通できるが小径部１１０ｂを挿通できないように設定されている。具体的には、だるま孔部１１０の大径部１１０ａより小さく、かつ、小径部１１０ｂより大きく設定されている。
【００２８】
軸部１２１は、頭部１２０の下側に形成され、支持部材１０の上側の所定位置に頭部１２０を配置するための所定の軸方向長さを有する円柱状の部位である。軸部１２１の外径寸法は、大径部１１０ａ及び小径部１１０ｂを挿通できるように設定されている。具体的には、だるま孔部１１０の大径部１１０ａ及び小径部１１０ｂより小さく設定されている。また、軸部１２１の軸方向寸法は、ドクターブレードＤＢの固定前には、支持部材１０と押さえ部材１１の間に、ドクターブレードＤＢを配置するのに充分な隙間が形成され、ドクターブレードＤＢの固定時には、押さえ部材１１を支持部材１０側に充分に変位させることができるように設定されている。
【００２９】
ねじ部１２２は、支持部材１０のねじ孔部１０２と螺合することで、支点部材１２を支持部材１０に固定する円柱状の雄ねじである。
【００３０】
図１に示す固定部材１３は、押さえ部材１１の他端部１１ｂを反支持部材１０側（つまり上側）に変位させることで、支点部材１２を支点として押さえ部材１１の一端部１１ａを支持部材１０側に変位させ、押さえ部材１１でドクターブレードＤＢを支持部材１０に押しつけて固定する部材である。固定部材１３は、カム部材１３０と、レバー部材１３１とを備えている。
【００３１】
カム部材１３０は、断面一定の棒状の金属からなる部材であって、周方向に回動して押さえ部材１１の他端部１１ｂを反支持部材１０側（つまり上側）に変位させることで、支点部材１２を支点して押さえ部材１１の一端部１１ａを支持部材１０側に変位させる部材である。具体的には、図６及び図７に示すように、外周に、平坦面１３０ａと、円弧面１３０ｂとを有する棒状の部材である。平坦面１３０ａには、レバー部材１３１を挿入固定するための孔部１３０ｃが形成されている。カム部材１３０は、カム溝部１０１内に回動可能に保持された状態で、平坦面１３０ａが上側になったときに、平坦面１３０ａが支持部１００の平坦面１００ａと略同一高さになるように、寸法が設定されている。また、平坦面１３０ａが後側に、円弧面１３０ｂが上側から前側を経て下側にかけて配置されるようになったときに、押さえ部材１１の他端部１１ｂを上側に押し上げられるように、寸法が設定されている。
【００３２】
図１に示すレバー部材１３１は、図８に示すように、略Ｙ字棒状の金属からなる部材であって、カム部材１３０を回動させるための部材である。レバー部材１３１は、図６及び図７に示す孔部１３０ｃに、端部１３１ａが挿入され固定されている。
【００３３】
図１に示すように、支点部材１２は、ねじ部１２２を支持部材１０のねじ孔部１０２に螺合させた状態で、支持部材１０に固定されている。支持部材１０のカム溝部１０１には、固定部材１３のカム部材１３０が回動可能に保持されている。押さえ部材１１は、だるま孔部１１０の大径部１１０ａを支点部材１２の頭部１２０に挿通させた後に後側に移動させることで、だるま孔部１１０の小径部１１０ｂが支点部材１２の軸部１２１に挿通した状態で支持部材１０の上側に配置されている。
【００３４】
次に、図１、図９〜図１０を参照して本形態のドクター装置におけるドクターブレードの取り付け方について説明する。ここで、図９は、ドクターブレード固定前の本形態におけるドクター装置の側面図である。図１０は、押さえ部材と支持部材の間にドクターブレードが挿入された本形態におけるドクター装置の側面図である。なお、図中における前後方向及び上下方向は、方向を区別するために便宜的に記載したものである。
【００３５】
まず、図９に示すように、レバー部材１３１を垂直に起こし、平坦面１３０ａが上側になるようにカム部材１３０を回動させる。カム部材１３０が回動し、平坦面１３０ａが上側になると、押さえ部材１１は、ほぼ水平状態になる。その結果、支点部材１２の頭部１２０と押さえ部材１１の間に隙間が生じ、押さえ部材１１が上下方向に移動可能となる。
【００３６】
図１０に示すように、ドクターブレードＤＢは、押さえ部材１１の一端部１１ａと支持部材１０の先端部１０ａの間に基端部を挿入し、先端部を前側に突出された状態で配置される。
【００３７】
その後、図１に示すように、レバー部材１３１を後側に９０度倒し、平坦面１３０ａが後側に、円弧面１３０ｂが上側から前側を経て下側にかけて配置されるようにカム部材１３０を回動させる。カム部材１３０が回動し、円弧面１３０ｂが上側から前側を経て下側にかけて配置されるようになると、押さえ部材１１の他端部１１ｂがカム部材１３０によって押し上げられ、上側に変位する。押さえ部材１１は、他端部１１ｂが上側に変位することで、頭部１２０を支点として一端部１１ａが支持部材１０側に変位する。その結果、ドクターブレードＤＢが、支持部１００の平坦面１００ａに押しつけられる。これにより、ドクターブレードＤＢが、支持部材１０と押さえ部材１１によって挟持され固定される。
【００３８】
次に、図１１を参照して、本形態のドクター装置の印刷機への固定の仕方について説明する。ここで、図１１は、印刷機に固定された本形態におけるドクター装置の側面図である。なお、図中における前後方向及び上下方向は、印刷機の水平方向及び上下方向に相当する。
【００３９】
版胴の版面に着いた余分なインキをかき取る際、例えば、ドクターブレードＤＢを下側に傾斜した状態で、先端部を版面に接触させる。図１１に示すように、ドクター装置１は、支持部材１０のうち、屈曲部１０ｃよりも先端部１０ａ側が下側に傾斜し、屈曲部１０ｃよりも後端部１０ｂ側が前後方向に水平になった状態で配置される。そして、後端部１０ｂが印刷機の固定部材Ｆ１、Ｆ２の間に配置され、固定部材Ｆ１、Ｆ２がボルトＢによって締め付けられる。その結果、支持部材１０の後端部１０ｂが印刷機の固定部材Ｆ１、Ｆ２によって挟持され、ドクターブレードＤＢが下側に傾斜した状態で印刷機に固定される。
【００４０】
次に、本形態のドクター装置の効果について説明する。
【００４１】
本形態によれば、ドクター装置１は、支持部材１０と、押さえ部材１１と、支点部材１２と、固定部材１３とを備えている。支持部材１０は、先端部１０ａにドクターブレードＤＢを支持する支持部１００を有する部材である。押さえ部材１１は、弾性を有する帯状の部材であって、支持部材１０と対向して設けられ、支持部材１０との間にドクターブレードＤＢが配置され、一端部１１ａでドクターブレードＤＢを支持部材１０に押しつける部材である。支点部材１２は、押さえ部材１１の一端部１１ａと他端部１１ｂの間であって、押さえ部材１１の上側で押さえ部材に当接し、押さえ部材１１の他端部１１ｂを上側に変位させることで、押さえ部材１１の一端部１１ａを支持部材１０側に変位させるための支点となる頭部１２０を有する部材である。カム部材１３０は、支持部材１０に形成されたカム溝部１０１内に回動可能に保持され、回動して押さえ部材１１の他端部１１ｂを上側に変位させる部材である。支持部材１０は、カム溝部１０１と支持部１００の間に屈曲部１０ｃを有し、屈曲部１０ｃよりも後側が下側に屈曲している。そのため、支持部材１０に形成されるカム溝部１０１の深さを浅くすることができる。そのため、重量を増加させることなく、カム溝部１０１が形成された部分の強度を確保することができる。
【００４２】
図１２に示すように、支持部材１０が屈曲部１０ｃを有しておらず、先端部１０ａから後端部１０ｂにかけて直線状に延びていたとした場合、ドクターブレードＤＢを下側に傾斜した状態で印刷機に固定しようとすると、固定部材Ｆ１、Ｆ２を、後側の斜め上方に下側に傾けた状態で設けなければならない。そのため、ドクター装置を固定部材Ｆ１、Ｆ２に固定すると、固定部材Ｆ１、Ｆ２に遮られ、後側の斜め上方から、ドクターブレードＤＢの先端部を目視確認することが困難である。従って、後側の斜め上方から、ドクターブレードＤＢの先端部と版面の接触状態を目視確認することが困難である。しかし、本形態では、支持部材１０が屈曲部１０ｃを有している。屈曲部１０ｃよりも後側が下側に屈曲している。そのため、図１１に示すように、固定部材Ｆ１、Ｆ２を後側の斜め上方に設ける必要がない。従って、ドクター装置１を固定部材Ｆ１、Ｆ２に固定しても、固定部材Ｆ１、Ｆ２に遮られることなく、後側の斜め上方から、ドクターブレードＤＢの先端部を目視確認することができる。これにより、後側の斜め上方から、ドクターブレードＤＢの先端部と版胴の版面との接触状態を容易に目視確認することができる。
【００４３】
なお、本形態では、押さえ部材１１が弾性を有する薄い帯状の金属からなる例を挙げているが、これに限られるものではない。押さえ部材１１は、金属以外の材料によって構成されていてもよい。弾性を有するものであればよい。
【００４４】
（第２実施形態）
次に、本形態のドクター装置について説明する。本形態のドクター装置は、第１実施形態のドクター装置に対して、カム溝部の後側に壁部を追加したものである。
【００４５】
本形態のドクター装置は、壁部を除いて第１実施形態のドクター装置と同一である。そのため、図１３〜図１５を参照して壁部の構成についてのみ説明し、ドクターブレードの取り付け方、及び、ドクター装置の固定に仕方については説明を省略する。なお、第１実施形態と同一の構成要素は、同一の符号を付し説明を省略する。ここで、図１２は、本形態におけるドクター装置の側面図である。図１３は、押さえ部材と支持部材の間にドクターブレードが挿入された第２実施形態におけるドクター装置の側面図である。図１４は、図１２及び図１３における支持部材の上面図である。なお、図中における前後方向、左右方向及び上下方向は、方向を区別するために便宜的に記載したものである。
【００４６】
図１３及び図１４に示すようにドクター装置２は、支持部材１０と、押さえ部材１１と、支点部材１２と、固定部材１３とを備えている。
【００４７】
図１３〜図１５に示すように、支持部材１０は、壁部１０３を有している。壁部１０３は、カム溝部１０１の上面の開口部の後端部１０ｂ側（つまり後側）に隣接して設けられる、押さえ部材１１側（つまり上側）に表面から突出する部位である。壁部１０３は、レバー部材１３１を後側に倒したときに、レバー部材１３１が配置される、対応する部分を除いて、左右方向に延在するように設けられている。壁部１０３は、カム溝部１０１とともに、カム部材１３０を回動可能に保持するための断面が略半円形状の溝部を構成するように設けられている。具体的には、壁部１０３の前側の表面が円弧状に形成されている。カム溝部１０１と壁部１０３によって形成される略半円形状の断面の直径は、カム部材１３０の円弧面１３０ｂの直径よりわずかに大きくなるように設定されている。
【００４８】
次に、本形態のドクター装置の効果について説明する。
【００４９】
本形態によれば、支持部材１０は、カム溝部１０１の後側に隣接して設けられる、上側に突出する壁部１０３を有している。そのため、カム部材１３０の脱落を抑え、カム部材１３０をカム溝部１０１内で確実に回動させることができる。
【００５０】
本発明は、第１及び第２実施形態にのみに限定されるものではなく、本発明の主旨を逸脱しない範囲で、これら形態を組み合わせることができる。
【符号の説明】
【００５１】
１・・・ドクター装置、１０・・・支持部材、１０ａ・・・先端部、１０ｂ・・・後端部、１０ｃ・・・屈曲部、１００・・・支持部、１００ａ・・・平坦面、１０１・・・カム溝部、１０２・・・ねじ孔部、１０３・・・壁部、１１・・・押さえ部材、１１ａ・・・一端部、１１ｂ・・・他端部、１１０・・・だるま孔部、１１０ａ・・・大径部、１１０ｂ・・・小径部、１１１・・・切り欠き部、１２・・・支点部材、１２０・・・頭部、１２１・・・軸部、１２２・・・ねじ部、１３・・・固定部材、１３０・・・カム部材、１３０ａ・・・平坦面、１３０ｂ・・・円弧面、１３０ｃ・・・孔部、１３１・・・レバー部材、１３１ａ・・・端部、ＤＢ・・・ドクターブレード
【図１】
2018196944.tif 000003
【図２】
2018196944.tif 000004
【図３】
2018196944.tif 000005
【図４】
2018196944.tif 000006
【図５】
2018196944.tif 000007
【図６】
2018196944.tif 000008
【図７】
2018196944.tif 000009
【図８】
2018196944.tif 000010
【図９】
2018196944.tif 000011
【図１０】
2018196944.tif 000012
【図１１】
2018196944.tif 000013
【図１２】
2018196944.tif 000014
【図１３】
2018196944.tif 000015
【図１４】
2018196944.tif 000016
【図１５】
2018196944.tif 000017